(57)【要約】【課題】部分表示機能に関し、バッテリー駆動機器を使用中のユーザーが、積極的又は主導的に部分表示機能に関与する仕組みがない。【解決手段】自発光表示装置に、（ａ）自発光表示素子を配置した発光領域と、（ｂ）ユーザーが任意に可動操作できる可動機構と、（ｃ）可動機構に対する操作情報に基づいて、発光領域上に任意の部分領域を設定する部分領域設定部と、（ｄ）部分領域には原画像データをそのまま供給し、部分領域以外の領域には黒データを供給する画像データ選択部とを搭載する。【選択図】図７
2007333996.tif 000002
【特許請求の範囲】
【請求項１】
自発光表示素子を配置した発光領域と、
ユーザーが任意に可動操作できる可動機構と、
前記可動機構に対する操作情報に基づいて、前記発光領域上に任意の部分領域を設定する部分領域設定部と、
前記部分領域には原画像データをそのまま供給し、前記部分領域以外の領域には黒データを供給する画像データ選択部と
を有することを特徴とする自発光表示装置。
【請求項２】
自発光表示素子を配置した発光領域と、
ユーザーが任意に可動操作できる可動機構と、
前記可動機構に対する操作情報に基づいて、前記発光領域上に任意の部分領域を設定する部分領域設定部と、
原画像データの発光輝度値を低下する輝度低減部と、
前記部分領域には原画像データをそのまま供給し、前記部分領域以外の領域には前記輝度低減部から与えられる画像データを供給する画像データ選択部と
を有することを特徴とする自発光表示装置。
【請求項３】
自発光表示素子を配置した発光領域と、
ユーザーが任意に可動操作できる可動機構と、
前記可動機構に対する操作情報に基づいて、前記発光領域上に任意の部分領域を設定する部分領域設定部と、
設定された部分領域以外の領域に対応する原画像データの平均ピクチャレベルを算出する平均ピクチャレベル算出部と、
算出された平均ピクチャレベルよりも小さい平均ピクチャレベルを有する置換画像データを生成する置換画像データ生成部と、
前記部分領域には原画像データをそのまま供給し、前記部分領域以外の領域には前記置換画像データを供給する画像データ選択部と
を有することを特徴とする自発光表示装置。
【請求項４】
請求項１に記載の自発光表示装置において、
前記可動機構に対するユーザー操作は、前記部分領域を規定する１方向又は２方向の開始位置と終了位置を与えるディジタル値として出力される
ことを特徴とする自発光表示装置。
【請求項５】
請求項２に記載の自発光表示装置において、
前記可動機構に対するユーザー操作は、前記部分領域を規定する１方向又は２方向の開始位置と終了位置を与えるディジタル値として出力される
ことを特徴とする自発光表示装置。
【請求項６】
請求項３に記載の自発光表示装置において、
前記可動機構に対するユーザー操作は、前記部分領域を規定する１方向又は２方向の開始位置と終了位置を与えるディジタル値として出力される
ことを特徴とする自発光表示装置。
【請求項７】
請求項１に記載の自発光表示装置において、
前記可動機構に対するユーザー操作は可変抵抗値の変化に変換され、当該可変抵抗値に対応するアナログ電圧値をディジタル電圧値に変換した値が、前記部分領域を規定する１方向又は２方向の開始位置と終了位置を与えるディジタル値として出力される
ことを特徴とする自発光表示装置。
【請求項８】
請求項２に記載の自発光表示装置において、
前記可動機構に対するユーザー操作は可変抵抗値の変化に変換され、当該可変抵抗値に対応するアナログ電圧値をディジタル電圧値に変換した値が、前記部分領域を規定する１方向又は２方向の開始位置と終了位置を与えるディジタル値として出力される
ことを特徴とする自発光表示装置。
【請求項９】
請求項３に記載の自発光表示装置において、
前記可動機構に対するユーザー操作は可変抵抗値の変化に変換され、当該可変抵抗値に対応するアナログ電圧値をディジタル電圧値に変換した値が、前記部分領域を規定する１方向又は２方向の開始位置と終了位置を与えるディジタル値として出力される
ことを特徴とする自発光表示装置。
【請求項１０】
請求項１に記載の自発光表示装置において、
前記可動機構は、前記発光領域の表面を覆う可動式の部材であり、
前記部分領域設定部は、前記部分領域の領域範囲を、前記可動機構の可動方向に沿って配置されているセンサー素子の出力を通じて検出する
ことを特徴とする自発光表示装置。
【請求項１１】
請求項１０に記載の自発光表示装置において、
前記センサー素子は光センサーであり、当該光センサー素子のうち前記可動機構の可動範囲外に配置された光センサーも含めて全ての光センサーが外光を検出しないとき、前記部分領域設定部は、前記発光領域の全域を部分領域に設定し、前記光センサー素子のうち可動範囲外に配置された光センサーが外光を検出するとき、前記部分領域設定部は前記発光領域のうち外光を検出しない光センサーの位置する範囲を部分領域に設定する
ことを特徴とする自発光表示装置。
【請求項１２】
請求項２に記載の自発光表示装置において、
前記可動機構は、前記発光領域の表面を覆う可動式の部材であり、
前記部分領域設定部は、前記部分領域の領域範囲を、前記可動機構の可動方向に沿って配置されているセンサー素子の出力を通じて検出する
ことを特徴とする自発光表示装置。
【請求項１３】
請求項１２に記載の自発光表示装置において、
前記センサー素子は光センサーであり、当該光センサー素子のうち前記可動機構の可動範囲外に配置された光センサーも含めて全ての光センサーが外光を検出しないとき、前記部分領域設定部は、前記発光領域の全域を部分領域に設定し、前記光センサー素子のうち可動範囲外に配置された光センサーが外光を検出するとき、前記部分領域設定部は前記発光領域のうち外光を検出しない光センサーの位置する範囲を部分領域に設定する
ことを特徴とする自発光表示装置。
【請求項１４】
請求項３に記載の自発光表示装置において、
前記可動機構は、前記発光領域の表面を覆う可動式の部材であり、
前記部分領域設定部は、前記部分領域の領域範囲を、前記可動機構の可動方向に沿って配置されているセンサー素子の出力を通じて検出する
ことを特徴とする自発光表示装置。
【請求項１５】
請求項１４に記載の自発光表示装置において、
前記センサー素子は光センサーであり、当該光センサー素子のうち前記可動機構の可動範囲外に配置された光センサーも含めて全ての光センサーが外光を検出しないとき、前記部分領域設定部は、前記発光領域の全域を部分領域に設定し、前記光センサー素子のうち可動範囲外に配置された光センサーが外光を検出するとき、前記部分領域設定部は前記発光領域のうち外光を検出しない光センサーの位置する範囲を部分領域に設定する
ことを特徴とする自発光表示装置。
【請求項１６】
請求項２に記載の自発光表示装置において、
前記輝度低減部は、原画像データを減色処理して前記置換画像データを生成する
ことを特徴とする自発光表示装置。
【請求項１７】
請求項３に記載の自発光表示装置において、
前記置換画像データ生成部は、前記平均ピクチャレベル算出部で算出された原画像データの平均ピクチャレベルよりも小さい単一ピクチャレベルのみのグレー画像を前記置換画像データとして生成する
ことを特徴とする自発光表示装置。
【請求項１８】
請求項３に記載の自発光表示装置において、
前記置換画像データ生成部は、前記部分領域に対応する範囲の原画像データの一部を黒レベル画像に置換した画像を前記置換画像データとして生成する
ことを特徴とする自発光表示装置。
【請求項１９】
バッテリー電源から電力の供給を受けて動作するシステム制御部と、
自発光表示素子を配置した発光領域と、
ユーザーが任意に可動操作できる可動機構と、
前記可動機構に対する操作情報に基づいて、前記発光領域上に任意の部分領域を設定する部分領域設定部と、
前記部分領域には原画像データをそのまま供給し、前記部分領域以外の領域には黒データを供給する画像データ選択部と
を有することを特徴とするバッテリー駆動機器。
【請求項２０】
バッテリー電源から電力の供給を受けて動作するシステム制御部と、
自発光表示素子を配置した発光領域と、
ユーザーが任意に可動操作できる可動機構と、
前記可動機構に対する操作情報に基づいて、前記発光領域上に任意の部分領域を設定する部分領域設定部と、
原画像データの発光輝度値を低下する輝度低減部と、
前記部分領域には原画像データをそのまま供給し、前記部分領域以外の領域には前記輝度低減部から与えられる画像データを供給する画像データ選択部と
を有することを特徴とするバッテリー駆動機器。
【請求項２１】
バッテリー電源から電力の供給を受けて動作するシステム制御部と、
自発光表示素子を配置した発光領域と、
ユーザーが任意に可動操作できる可動機構と、
前記可動機構に対する操作情報に基づいて、前記発光領域上に任意の部分領域を設定する部分領域設定部と、
設定された部分領域以外の領域に対応する原画像データの平均ピクチャレベルを算出する平均ピクチャレベル算出部と、
算出された平均ピクチャレベルよりも小さい平均ピクチャレベルを有する置換画像データを生成する置換画像データ生成部と、
前記部分領域には原画像データをそのまま供給し、前記部分領域以外の領域には前記置換データを供給する画像データ選択部と
を有することを特徴とするバッテリー駆動機器。
【請求項２２】
ユーザーが任意に可動操作できる可動機構を有するバッテリー駆動機器に搭載される自発光領域に供給する画像データの生成方法であって、
前記可動機構に対する操作情報に基づいて、前記自発光領域上に任意の部分領域を設定する処理と、
前記部分領域には原画像データをそのまま供給する一方で、前記部分領域以外の領域には黒データを供給する処理と
を有することを特徴とする画像データ生成方法。
【請求項２３】
ユーザーが任意に可動操作できる可動機構を有するバッテリー駆動機器に搭載される自発光領域に供給する画像データの生成方法であって、
前記可動機構に対する操作情報に基づいて、前記自発光領域上に任意の部分領域を設定する処理と、
原画像データの発光輝度値を低下する処理と、
前記部分領域には原画像データをそのまま供給する一方で、前記部分領域以外の領域には原画像データの発光輝度値を一様に低下した画像データを供給する処理と
を有することを特徴とする画像データ生成方法。
【請求項２４】
ユーザーが任意に可動操作できる可動機構を有するバッテリー駆動機器に搭載される自発光領域に供給する画像データの生成方法であって、
前記可動機構に対する操作情報に基づいて、前記自発光領域上に任意の部分領域を設定する処理と、
設定された部分領域以外の領域に対応する原画像データの平均ピクチャレベルを算出する処理と、
算出された平均ピクチャレベルよりも小さい平均ピクチャレベルを有する置換画像データを生成する処理と、
前記部分領域には原画像データをそのまま供給する一方で、前記部分領域以外の領域には前記置換データを供給する処理と
を有することを特徴とする画像データ生成方法。
【発明の詳細な説明】
【技術分野】
【０００１】
この明細書で説明する発明は、携帯型の自発光表示装置の省電力化技術に関する。
なお、発明者らが提案する発明は、自発光表示装置、バッテリー駆動機器及び画像データ生成方法としての側面を有する。
【背景技術】
【０００２】
バッテリー電源で駆動される電子機器（バッテリー駆動機器）では、更なる省電力化が求められている。特に、表示画面を搭載する電子機器の場合には、表示画面で消費される電力の低消費電力化が一段と求められている。
【０００３】
そこで、携帯電話機の一部では、利用シーンや表示内容に連動して表示画面の一部分のみに画像を表示する機能（部分表示機能）の搭載が提案されている。
この種の部分表示機能について開示する特許文献を以下に示す。
【０００４】
【特許文献１】特開２００２−３５１４１４号公報
【特許文献２】特開２００１−３５６７４６号公報
【特許文献３】特開２００４−１２８９０号公報  これらの特許文献には、複数の走査ライン毎に分割されたブロックを単位として、任意のブロックの表示と非表示を選択することにより、低消費電力化を図る技術が開示されている。
【０００５】
【特許文献４】特開２００４−４５７４８号公報  この特許文献には、システム制御部が表示内容等に応じて表示領域と非表示領域を設定し、当該設定に基づいて表示画面の一部分のみに画像を表示する技術が開示されている。
【発明の開示】
【発明が解決しようとする課題】
【０００６】
ところが、これらの部分表示機能は、専らユーザーが使用しない期間における低消費電力化を図るものである。例えば表示画面の一部に時計表示やバッテリー残量の表示だけを残すことを目的とするものである。
【０００７】
このように、現在提案されている技術では、バッテリー駆動機器を使用中のユーザーが、積極的又は主導的に部分表示機能に関与する仕組みがない。
実際、部分的な表示領域は、システム制御部が表示内容に合わせて決定する。すなわち、システム制御部の関与無しには部分表示機能を実現できなかった。
【課題を解決するための手段】
【０００８】
そこで、発明者らは、システム制御部の関与無しに、原画像の表示領域を画面内の一部分に制限できる省電力化技術を提案する。
【０００９】
（Ａ）解決手法１
まず、解決手法の１つとして、発明者らは、以下の機構を有する自発光表示装置を提案する。
（ａ）自発光表示素子を配置した発光領域
（ｂ）ユーザーが任意に可動操作できる可動機構
（ｃ）可動機構に対する操作情報に基づいて、発光領域上に任意の部分領域を設定する部分領域設定部
（ｄ）部分領域には原画像データをそのまま供給し、部分領域以外の領域には黒データを供給する画像データ選択部
【００１０】
（Ｂ）解決手法２
また、他の解決手法の１つとして、発明者らは、以下の機構を有する自発光表示装置を提案する。
（ａ）自発光表示素子を配置した発光領域
（ｂ）ユーザーが任意に可動操作できる可動機構
（ｃ）可動機構に対する操作情報に基づいて、発光領域上に任意の部分領域を設定する部分領域設定部
（ｄ）原画像データの発光輝度値を低下する輝度低減部
（ｅ）部分領域には原画像データをそのまま供給し、部分領域以外の領域には前記輝度低減部から与えられる画像データを供給する画像データ選択部
【００１１】
（Ｃ）解決手法３
また、他の解決手法の１つとして、発明者らは、以下の機構を有する自発光表示装置を提案する。
（ａ）自発光表示素子を配置した発光領域
（ｂ）ユーザーが任意に可動操作できる可動機構
（ｃ）可動機構に対する操作情報に基づいて、発光領域上に任意の部分領域を設定する部分領域設定部
（ｄ）設定された部分領域以外の領域に対応する原画像データの平均ピクチャレベルを算出する平均ピクチャレベル算出部
（ｅ）算出された平均ピクチャレベルよりも小さい平均ピクチャレベルを有する置換画像データを生成する置換画像データ生成部
（ｆ）部分領域には原画像データをそのまま供給し、部分領域以外の領域には前記置換データを供給する画像データ選択部
【発明の効果】
【００１２】
発明者らの提案する省電力化技術を用いれば、可動機構をユーザーが任意に可動操作するだけで、システム制御部の関与無しに、表示画面上に任意の位置に任意の大きさの部分領域を設定することができる。
【００１３】
設定された部分領域以外の領域は、原画像よりも消費電力の小さい画像（例えば黒データ、発光輝度を低下した画像データを含む。）に置換される。結果的に、ユーザー自身が積極的又は主導的に省電力化に関与することができる。
【発明を実施するための最良の形態】
【００１４】
以下、発明に係る省電力化技術を説明する。
なお、本明細書で特に図示又は記載されない部分には、当該技術分野の周知又は公知技術を適用する。
また以下に説明する形態例は、発明の一つの形態例であって、これらに限定されるものではない。
【００１５】
（Ａ）形態例１
（Ａ−１）外観構成
図１に、バッテリー電源より駆動電力の供給を受けて動作する表示装置１の外観構成例を示す。図１に示す表示装置１を構成する筐体３の表面には、情報表示部５とその表面に沿って自在に可動可能な蓋７を配置する。
【００１６】
情報表示部５は、任意の画像や映像を表示可能な表示領域である。この形態例の場合、情報表示部５は、有機ＥＬディスプレイパネルで構成する。なお、この形態例で使用する有機ＥＬディスプレイパネルはカラー表示可能なものとする。すなわち、表示上の１ピクセルは、Ｒ（赤）、Ｇ（緑）、Ｂ（青）に対応するサブピクセルで構成されている。
【００１７】
蓋７は、筐体３の外形形状に対して一回り大きい筒状の可動部材である。蓋７は、図中矢印で示す方向に自由に可動できるように筐体３に取り付けられている。この形態例の場合、蓋７は不透性又は透過性の低い部材で構成する。すなわち、蓋７は、情報表示部５の表示内容を外部から隠せるように構成されている。
【００１８】
従って、蓋７の開閉操作は、情報表示部５の表面を保護する目的だけでなく、表示内容の一部を隠す目的で実行される。すなわち、蓋７の開閉操作は、外部から原画像がそのまま観察される部分領域と、原画像を一切観察できないか、観察できたとしても本来の画質を望めない他の部分領域とに分ける目的で使用される。
【００１９】
図２に、蓋７の開閉操作により設定される部分領域を示す。この明細書の場合、情報表示部５のうち蓋７で隠されていない部分領域を原画像領域１１という。原画像領域１１には、原画像が本来の画質でそのまま表示される。また、情報表示部５のうち蓋７で隠れる部分を省電力化領域１３という。省電力化領域１３には、同位置に表示される原画像よりも消費電力が低い画像を表示する。
【００２０】
省電力化領域１３に表示する画像は、事前に設定した固定の画像（例えば全面黒画像）でも良いし、原画像の表示内容に応じて生成する画像でも良い。
いずれにしても、原画像領域１１の設定は、ユーザーによる蓋７の手動操作により実現され、表示内容とは無関係である。すなわち、システム制御部の関与無しに部分領域を設定できる。
【００２１】
（Ａ−２）表示装置の機能構成
図３に、表示装置１を構成するデバイスの機能構成例を示す。なお、図３は、蓋７の操作による部分領域の設定と、これに連動した画像データの生成に関連するデバイスの機能構成を説明するために、表示装置１に搭載される機能の一部を省略して表している。例えば、原画像データの信号処理に関連する機能ブロックやシステム全体の動作を制御するシステム制御部等は省略して表している。
【００２２】
図３に示す機能構成において、表示装置１は、タイミングコントローラ２１、部分領域設定用ユーザーインターフェース（ＵＩ）２３、表示領域デコーダ２５、部分領域設定部２７、画像データ選択部２９、黒データ供給部３１、ゲートスキャンドライバ３３、線順次ドライバ３５及び有機ＥＬディスプレイパネル３７で構成される。
【００２３】
タイミングコントローラ２１は、原画像データＤｐに基づいて画面表示に必要な制御信号を発生する制御デバイスである。例えばドットクロック、Ｈシンク、Ｖシンクを発生する。ドットクロックは、１ピクセル（ドット）の表示に必要な時間の逆数に相当する信号である。Ｈシンクは、走査線の先頭位置を与える水平同期信号である。Ｖシンクは、フレームの先頭位置を与える垂直同期信号である。
【００２４】
このうち、Ｈシンクはゲートスキャンドライバ３３に出力される。また、タイミングコントローラ２１は、原画像データＤｐの出力タイミングを、パネル仕様に合わせたタイミングに変換する動作も実行する。タイミング変換後の原画像データＤｐは、後段の画像データ選択部２９に出力される。
【００２５】
部分領域設定用ユーザーインターフェース（ＵＩ）２３は、ユーザーが手動操作する可動機構をいう。この形態例の場合。蓋７（図１）とその可動位置を検出する内部機構とで構成される。
【００２６】
図４に、部分領域設定用ユーザーインターフェース（ＵＩ）２３の構成例を示す。図４に示すように、部分領域設定用ユーザーインターフェース（ＵＩ）２３は、蓋７と、接点端子４１と、抵抗体４３と、アナログ／ディジタル変換器４５で構成する。
【００２７】
接点端子４１と抵抗体４３は可変抵抗器として機能する。なお、接点端子４１は蓋７に固定されている。従って、接点端子４１と抵抗体４３との接点位置は、蓋７の可動操作に伴い変化する。一方、抵抗体４３の両端にはある一定電圧が印加されている。従って、接点端子４１には、接地電極との間の抵抗値に応じたアナログ電圧が発生される。
【００２８】
なお、抵抗体４３の長さと一定電圧の値は、蓋７の可動操作により隠れる画面領域の境界位置Ｐを識別できるように設定する。
アナログ／ディジタル変換器４５は、接点端子４１から与えられるアナログ電圧をディジタル値に変換する。このディジタル値は、原画像領域１１の垂直方向の終端位置を表す。
【００２９】
表示領域デコーダ２５は、アナログ／ディジタル変換器４５から与えられるディジタル値を、表示パネルの画素数情報に変換する処理デバイスである。なお、この画素数は、表示パネルの全画素数に基づいて与えられる。前述した情報表示部５は、ユーザーが実際に画像や映像を確認できる有効表示領域に対応する。
この形態例の場合、表示領域デコーダ２５は、垂直方向の上から何番目の画素（走査線）から何番目の画素（走査線）までが原画像領域１１かを表す情報に変換する。
【００３０】
この形態例の場合、原画像領域１１の開始位置を与える画素（操作線）数は固定であり、終端位置を与える画素（操作線）数だけが可変的に与えられる。ここで、表示領域デコーダ２５は、原画像領域１１の開始位置と終端位置をＨシンクカウンタのカウント値として出力する。
【００３１】
なお、Ｈシンクカウンタのカウント値は、Ｖシンクの開始エッジで「０（ゼロ）」にリセットされる。従って、図４の場合、原画像領域１１の開始位置に対応するカウント値は「３」、原画像領域１１の終端位置に対応するカウント値は「８」となる。
ところで、この形態例の場合、蓋７は水平方向へは可動操作できない。従って、原画像領域１１の開始位置を与えるカウント値と終端位置を与えるカウント値には、事前に設定された値が出力される。
【００３２】
なお、水平方向に位置を与えるカウント値は、Ｈシンクのエッジでドットクロックの計数を開始するクロックカウンタのカウント値として与えられる。例えば、原画像領域１１の開始位置に対応するカウント値は「３」、原画像領域１１の終端位置に対応するカウント値は「１５」となる。
【００３３】
部分領域設定部２７は、表示領域デコーダ２５から与えられるカウント値に基づいて原画像領域１１の判定条件と省電力化領域１３の判定条件を設定する処理デバイスである。図５に判定条件の設定イメージを示す。
【００３４】
図５の場合、原画像領域１１を与える水平方向の画素範囲は、クロックカウント値Ｈがａ以上かつｂ以下として設定される。また、原画像領域１１を与える垂直方向の画素範囲は、Ｈシンクカウント値Ｖがｃ以上かつｄ以下として設定される。
【００３５】
一方、原画像領域１１を与える垂直方向の画素範囲は、クロックカウント値Ｈが０以上かつａ未満の範囲とｂより大きくクロック最大値α以下の範囲として設定される。また、原画像領域１１を与える垂直方向の画素範囲は、Ｈシンクカウント値Ｖが０以上かつｃ未満の範囲とｄより大きくクロック最大値β以下の範囲として設定される。
【００３６】
画像データ選択部２９は、タイミングコントローラ２１から与えられる原画像データＤｐの各画素が、部分領域設定部２７から与えられる２つの表示領域のいずれに属するか判定し、判定結果に基づいて線順次ドライバ３５に出力する表示画像データを生成する処理デバイスである。
【００３７】
この形態例の場合、画像データ選択部２９は、原画像領域１１では原画像データＤｐを出力し、省電力化領域１３では黒データＤｂを出力する。黒データＤｂは、階調値の「０（ゼロ）」を意味する。黒データＤｂは、黒データ供給部３１から与えられる。
【００３８】
図６に、画像データ選択部２９の内部構成例を示す。画像データ選択部２９は、切替制御部５１と切替部５３で構成される。
切替制御部５１は、タイミングコントローラ２１から与えられるＨシンクカウント値とクロックカウント値とを判定条件と比較し、判定対象とする画素が原画像領域１１に位置するか省電力化領域１３に位置するか否かを判定する。
【００３９】
切替制御部５１の判定結果は、切替部５３の切替信号として用いられる。切替部５３は、切替信号に基づいて、原画像データＤｐと黒データＤｂのうちいずれか一方を線順次ドライバ３５に出力する。
【００４０】
ゲートスキャンドライバ３３は、ライン選択信号（Ｈシンク）を有機ＥＬディスプレイパネル３７に出力するドライブ回路である。
線順次ドライバ３５は、１ライン毎に表示画像データのディジタル値をアナログ値に変換し、変換後のアナログ値を有機ＥＬディスプレイパネル３７に出力するドライブ回路である。
【００４１】
有機ＥＬディスプレイパネル３７は、各画素（サブピクセル）に対応する位置に有機ＥＬ素子を配置した表示デバイスである。各画素（サブピクセル）は、それぞれの画素回路によって制御される。すなわち、各画素（サブピクセル）は、画素回路を選択するライン選択信号と発光量を制御するアナログ値により制御される。この形態例の場合、省電力化領域１３は、黒画面となる。
【００４２】
（Ａ−３）蓋の操作による表示画面の変化
図７に、前述した表示技術を搭載する表示装置１の表示画面例を示す。
図７（Ａ）は、情報表示部５の下部をわずかに蓋７で隠す場合の使用例（図中左）と、実際の表示画面例（図中右）の関係を示す。図に示すように、蓋７で隠れたわずかな部分（省電力化領域１３）だけが黒画面になる。
【００４３】
図７（Ｂ）は、情報表示部５の下半分を蓋７で隠した場合の使用例（図中左）と、実際の表示画面例（図中右）の関係を示す。図に示すように、蓋７で隠れた画面のほぼ下半分（省電力化領域１３）が黒画面になる。
【００４４】
図７（Ｃ）は、情報表示部５のほぼ全面を蓋７で隠した場合の使用例（図中左）と、実際の表示画面例（図中右）の関係を示す。図に示すように、蓋７で隠れたほとんど全ての画面（省電力化領域１３）が黒画面になる。
【００４５】
このように、原画像がそのまま表示される領域は、原画像の表示内容とは無関係に（システム制御部は無関係に）ユーザーが可動操作する蓋７の操作位置だけに依存して決定される。すなわち、画面の表示中も、ユーザーが積極的又は主導的に判断した画面領域だけを表示し、その他の画面領域は黒画面表示に切り替えることができる。
【００４６】
なお、有機ＥＬ素子は自発光素子であるので、黒画面領域に位置する有機ＥＬ素子には駆動電流が流れない。
このため、黒画面領域での電流消費を無くすことができる。すなわち、消費電力を大幅に低下させることができる。結果的に、表示装置１をバッテリー電源で駆動できる時間を長くできる。
【００４７】
（Ｂ）形態例２
（Ｂ−１）外観構成
図８に、バッテリー電源より駆動電力の供給を受けて動作する表示装置１０１の外観構成例を示す。なお、図８には図１との対応部分に同一符号を付して示す。
図８に示す表示装置１０１を構成する筐体３の表面には、情報表示部５とその表面に沿って自在に可動可能な蓋７と、蓋７の可動位置を検出する可視光センサー１０３を配置する。可視光センサー１０３は、例えばフォトダイオードで構成する。
【００４８】
図８に示す表示装置１０１に特有の機構は、蓋７の可動方向に沿って配置される複数個の可視光センサー１０３である。
図９に、可視光センサー１０３の配置位置と蓋７の位置関係を示す。図９に示すように、可視光センサー１０３は、情報表示部５の縦方向（垂直走査方向）に沿って配置されている。
【００４９】
ここで、可視光センサー１０３は、蓋７の可動範囲外に少なくとも１つ配置する。また、可視光センサー１０３は、Ｈシンクカウンタのカウント値に対応する間隔で配置される。もっとも、可視光センサー１０３のサイズによっても設置間隔は変動する。
なお、図９の場合には、蓋７の可動範囲の上限位置である情報表示部５の上端位置の外側に可視光センサー１０３を１つ配置する。
【００５０】
このように、可動範囲の外側に可視光センサー１０３を１つ配置する理由は、表示装置１０１の使用環境の明るさを判別可能にするためである。このような可視光センサー１０３を設けない場合、例えば蓋７が情報表示部５の全域が覆われたために全ての可視光センサー１０３が光を検出しないのか、使用環境が暗いために全ての可視光センサー１０３が光を検出しないのかを判定することができないためである。
【００５１】
（Ｂ−２）表示装置の機能構成
図１０に、表示装置１０１を構成するデバイスの機能構成例を示す。なお、図１０は、図３との対応部分に同一符号を付して表している。
この表示装置１０１は、タイミングコントローラ２１、部分領域設定用ユーザーインターフェース（ＵＩ）１１１、表示領域デコーダ１１３、部分領域設定部２７、画像データ選択部２９、黒データ供給部３１、ゲートスキャンドライバ３３、線順次ドライバ３５及び有機ＥＬディスプレイパネル３７で構成される。
【００５２】
すなわち、部分領域設定用ユーザーインターフェース（ＵＩ）１１１と表示領域デコーダ１１３以外は、形態例１と同じものを使用する。
この形態例の場合、部分領域設定用ユーザーインターフェース（ＵＩ）１１１は、蓋７と複数個の可視光センサー１０３とで構成する。各可視光センサー１０３の検出結果は、表示領域デコーダ１１３に出力される。
【００５３】
表示領域デコーダ１１３は、光が検出された可視光センサー１０３と光が検出されなかった可視光センサー１０３の境界位置を、表示パネルの画素数情報に変換する処理デバイスである。なお、光が検出された可視光センサー１０３の領域は原画像領域１１に対応し、光が検出されなかった可視光センサー１０３の領域は省電力化領域１３に対応する。
【００５４】
この形態例の場合、蓋７の可動範囲の外側に配置された可視光センサー１０３が光を受光していることを条件に、表示領域デコーダ１１３は、光が検出された可視光センサー１０３と光が検出されなかった可視光センサー１０３の境界位置を原画像領域１１の終端位置と判定する。なお、この形態例の場合も、原画像領域１１の開始位置は固定である。
【００５５】
一方、蓋７の可動範囲の外側に配置された可視光センサー１０３も含め全ての可視光センサー１０３が光を検出しない場合、表示領域デコーダ１１３は、蓋７は閉じられていないものと判定する。画面全体が原画像領域１１であると判定する。
いずれにしても、表示領域デコーダ１１３は、原画像領域１１の開始位置と終端位置をＨシンクカウンタのカウント値として出力する。
【００５６】
（Ｂ−３）蓋の操作による表示画面の変化
図１１〜図１４に、前述した表示技術を搭載する表示装置１０１の表示画面例を示す。
図１１は、情報表示部５の下部に位置する１個の可視光センサー１０３だけが隠れるように蓋７が操作された場合における表示画面例を示す。図に示すように、蓋７で隠れたわずかな部分（省電力化領域１３）だけが黒画面になる。
【００５７】
図１２は、情報表示部５のほぼ下半分に位置する５個の可視光センサー１０３だけが隠れるように蓋７が操作された場合における表示画面例を示す。図に示すように、蓋７で隠れた画面のほぼ下半分（省電力化領域１３）だけが黒画面になる。
【００５８】
図１３は、蓋７の可動範囲内にある全ての可視光センサー１０３が蓋７によって隠れる場合の表示画面例を示す。ただし、図１３の場合、蓋７の可動範囲外に配置された可視光センサー１０３は光を受光しているものとする。この場合、蓋７が全て閉まっていることを意味するので、情報表示部５の全域が黒画面になる。
【００５９】
図１４も、蓋７の可動範囲内にある全ての可視光センサー１０３が蓋７によって隠れる場合の表示画面例を示す。ただし、図１４の場合、蓋７の可動範囲外に配置された可視光センサー１０３も光を受光していない場合である。例えば表示装置１０１が夜間に照明器具が点灯しない状態で使用されるような場合に対応する。この場合、蓋７は必ずしも閉じているとは限らないので、情報表示部５の全域が原画像領域１１に設定され、このような使用環境に応じた画面輝度の下、原画像が表示される。
【００６０】
以上説明したように、この形態例の場合にも、原画像がそのまま表示される領域は、原画像の表示内容とは無関係に（システム制御部は無関係に）ユーザーが可動操作する蓋７の操作位置だけに依存して決定される。すなわち、画面の表示中も、ユーザーが積極的又は主導的に判断した画面領域だけを表示し、その他の画面領域は黒画面表示に切り替えることができる。
【００６１】
また、有機ＥＬ素子は自発光素子であるので、黒画面領域に位置する有機ＥＬ素子には駆動電流を流さないようにでき、消費電力を大幅に低下させることができる。結果的に、表示装置１をバッテリー電源で駆動できる時間を長くできる。
【００６２】
なお、この形態例のように可視光センサー１０３を使用する場合には、図１５に示すように、ユーザーの指等を用いて一部の可視光センサー１０３の表面を覆うような使い方をすれば、光が受光されない領域部分についてのみ黒画面を表示して画像の内容を外部から観察できないようにすることもできる。
【００６３】
すなわち、のぞき見から秘匿性の高い情報を保護することもできる。
ただし、このような表示を実現するには、情報表示部５の内部に複数個の原画像領域１１が設定できるように、表示領域デコーダ１１３及び部分領域設定部２７を設定する必要がある。
【００６４】
（Ｃ）形態例３
（Ｃ−１）外観構成
図１６に、バッテリー電源より駆動電力の供給を受けて動作する表示装置２０１の外観構成例を示す。なお、図１６には図１との対応部分に同一符号を付して示す。
図１６に示す表示装置２０１を構成する筐体３の表面には、情報表示部５と原画像領域設定用の操作子２０３、２０５、２０７、２０９を配置する。
【００６５】
図１６に示す表示装置２０１に特有の機構は、原画像領域１１の設定用に筐体３の側面に配置される４つの操作子２０３、２０５、２０７、２０９である。これら４つの操作子２０３、２０５、２０７、２０９は、いずれも可動自在に筐体３に取り付けられている。
図１７に、これらの操作子２０３、２０５、２０７、２０９の可動操作による原画像領域１１と省電力化領域１３の設定例を示す。
【００６６】
前述した２つの形態例とは異なり、垂直方向だけでなく、水平方向についても原画像領域１１の開始位置及び終端位置を任意に設定することができる。このため、情報表示部５の任意の位置に任意の大きさの原画像領域１１の設定が可能である。
なお、操作子２０３は、垂直方向における原画像領域１１の開始位置（上端位置）を指示入力するために用いられる。
【００６７】
一方、操作子２０５は、垂直方向における原画像領域１１の終端位置（下端位置）を指示入力するために用いられる。
また、操作子２０７は、水平方向における原画像領域１１の開始位置（左端位置）を指示入力するために用いられる。
また、操作子２０９は、水平方向における原画像領域１１の終端位置（右端位置）を指示入力するために用いられる。
【００６８】
（Ｃ−２）表示装置の機能構成
図１８に、表示装置２０１を構成するデバイスの機能構成例を示す。なお、図１８は、図３との対応部分に同一符号を付して表している。
【００６９】
この表示装置２０１は、タイミングコントローラ２１、部分領域設定用ユーザーインターフェース（ＵＩ）２１１、表示領域デコーダ２１３、部分領域設定部２７、画像データ選択部２９、黒データ供給部３１、ゲートスキャンドライバ３３、線順次ドライバ３５及び有機ＥＬディスプレイパネル３７で構成される。
【００７０】
すなわち、部分領域設定用ユーザーインターフェース（ＵＩ）２１１と表示領域デコーダ２１３以外は、形態例１と同じものを使用する。
この形態例の場合、部分領域設定用ユーザーインターフェース（ＵＩ）２１１は、操作子２０３、２０５、２０７、２０９とその可動位置を検出する内部機構とで構成される。
【００７１】
図１９及び図２０に、部分領域設定用ユーザーインターフェース（ＵＩ）２１１の構成例を示す。なお、図１９に示す構成は、情報表示部５の垂直方向における原画像領域１１の開始位置と終端位置の設定に使用する可動機構に対応する。一方、図２０に示す構成は、情報表示部５の水平方向における原画像領域１１の開始位置と終端位置の設定に使用する可動機構に対応する。
【００７２】
これら可動機構の構成は、形態例１で説明した部分領域設定用ユーザーインターフェース（ＵＩ）２３を４つ用意したのと同じ構成に相当する。
従って、垂直方向の開始位置を設定する可動機構は、図１９に示すように、操作子２０３と、接点端子２２１と、抵抗体２２３と、アナログ／ディジタル変換器２２５で構成する。
【００７３】
同様に、垂直方向の終端位置を設定する可動機構は、図１９に示すように、操作子２０５と、接点端子２３１と、抵抗体２３３と、アナログ／ディジタル変換器２３５で構成する。アナログ／ディジタル変換器２２５及び２３５は、操作子２０３及び２０５の操作位置に応じたアナログ値をディジタル値に変換して表示領域デコーダ２１３に出力する。
【００７４】
また、水平方向の開始位置を設定する可動機構は、図２０に示すように、操作子２０７と、接点端子２４１と、抵抗体２４３と、アナログ／ディジタル変換器２４５で構成する。
同様に、水平方向の終端位置を設定する可動機構は、図２０に示すように、操作子２０９と、接点端子２５１と、抵抗体２５３と、アナログ／ディジタル変換器２５５で構成する。
【００７５】
やはり、アナログ／ディジタル変換器２４５及び２５５は、操作子２０７及び２０９の操作位置に応じたアナログ値をディジタル値に変換して表示領域デコーダ２１３に出力する。
【００７６】
表示領域デコーダ２１３は、ユーザーの可動操作によって設定された４つのエッジ位置（垂直方向の２点と水平方向の２点）に対応するディジタル値のそれぞれを、対応する方向における表示パネルの画素数情報に変換する処理デバイスである。
【００７７】
この場合も、画素数情報は、表示パネルの全画素数に基づいて与えられる。図１９及び図２０の場合、垂直方向の画素位置は、Ｈシンクカウンタの０〜１１の範囲で与えられ、水平方向の画素位置は、クロックカウンタの０〜１５の範囲で与えられる。
【００７８】
もっとも、原画像領域１１の開始位置と終端位置は、情報表示部５の有効表示領域内の画素で与えられるため、垂直方向の画素位置は３〜１１の範囲で、水平方向の画素位置は３から１５の範囲で与えられる。
【００７９】
図１９及び図２０の場合、垂直方向の開始位置は「３」、終端位置は「８」で与えられる。また、水平方向の開始位置は「４」、終端位置は「９」で与えられる。
図２１に、部分領域設定部２７が出力する判定条件の設定例を示す。図２１は、形態例１の説明で用いた図５に対応する。図２１と図５の違いは、水平方向の画素範囲だけである。このような手順により、原画像領域１１のエッジ位置を与える情報が、部分領域設定部２７に供給される。
【００８０】
（Ｃ−３）操作子の操作による表示画面の変化
図２２〜図２４に、前述した表示技術を搭載する表示装置２０１の表示画面例を示す。
図２２は、垂直方向についてのみ情報表示部５の内側に原画像領域１１の開始位置と終端位置を設定する場合の表示画面例である。この場合、情報表示部５の上側と下側に黒画面が現れ、原画像の中央付近だけが水平方向にフルサイズで表示される。
【００８１】
図２３は、水平方向についてのみ情報表示部５の内側に原画像領域１１の開始位置と終端位置を設定する場合の表示画面例である。この場合、情報表示部５の左側と右側に黒画面が現れ、原画像の中央付近だけが垂直方向にフルサイズで表示される。
【００８２】
図２４は、水平方向と垂直方向のそれぞれについて情報表示部５の内側に原画像領域１１の開始位置と終端位置を設定する場合の表示画面例である。この場合、情報表示部５の中央部分にだけ原画像が表示され、その周辺には黒画面が表示されることになる。
【００８３】
以上説明したように、この形態例の場合にも、原画像がそのまま表示される領域は、原画像の表示内容とは無関係に（システム制御部は無関係に）ユーザーが可動操作する操作子２０３、２０５、２０７、２０９の操作位置だけに依存して決定される。
【００８４】
すなわち、画面の表示中も、ユーザーが積極的又は主導的に判断した画面領域だけを表示し、その他の画面領域は黒画面表示に切り替えることができる。しかも、この形態例の場合には、原画像領域１１の位置及び大きさを自由に設定できるので、ユーザーの意図を画面構成により一層反映させることができる。
【００８５】
勿論、有機ＥＬ素子は自発光素子であるので、黒画面領域に位置する有機ＥＬ素子には駆動電流を流さないようにでき、消費電力を大幅に低下させることができる。結果的に、表示装置１をバッテリー電源で駆動できる時間を長くできる。
【００８６】
（Ｄ）形態例４
（Ｄ−１）外観構成
この形態例では、形態例３の別形態による実現例を説明する。具体的には、双方向にスライド操作可能な操作子２０３、２０５、２０７、２０９に替えて、押しボタン式の可動機構を用いる場合の形態例について説明する。
【００８７】
図２５に、バッテリー電源より駆動電力の供給を受けて動作する表示装置３０１の外観構成例を示す。なお、図２３には図１６との対応部分に同一符号を付して示す。
図２５に示す表示装置３０１を構成する筐体３の表面には、情報表示部５と原画像領域設定用の押しボタン３０３、３０５、３０７、３０９を配置する。
【００８８】
図２５に示す表示装置３０１に特有の機構は、４つの押しボタン３０３、３０５、３０７、３０９である。これら４つの押しボタン３０３、３０５、３０７、３０９を押し込み操作することで、対応位置を規定方向に移動させることができる。
なお、この形態例の場合も、形態例３の場合と同様、情報表示部５の任意の位置に任意の大きさの原画像領域１１を設定することができる。
【００８９】
なお、図２５の場合、押しボタン３０３は、垂直方向における原画像領域１１の開始位置（上端位置）を指示入力するために用いられる。この形態例の場合、押しボタン３０３は、開始位置を垂直方向の上方に移動させるためのボタンと開始位置を垂直方向の下方に移動させるためのボタンの２つで構成される。
【００９０】
一方、押しボタン３０５は、垂直方向における原画像領域１１の終端位置（下端位置）を指示入力するために用いられる。この形態例の場合、押しボタン３０５は、終了位置を垂直方向の上方に移動させるためのボタンと終端位置を垂直方向の下方に移動させるためのボタンの２つで構成される。
【００９１】
また、押しボタン３０７は、水平方向における原画像領域１１の開始位置（左端位置）を指示入力するために用いられる。この形態例の場合、押しボタン３０７は、開始位置を水平方向の左方に移動させるためのボタンと開始位置を水平方向の右方に移動させるためのボタンの２つで構成される。
【００９２】
また、押しボタン３０９は、水平方向における原画像領域１１の終端位置（右端位置）を指示入力するために用いられる。この形態例の場合、押しボタン３０９は、終端位置を水平方向の左方に移動させるためのボタンと終端位置を水平方向の右方に移動させるためのボタンの２つで構成される。
【００９３】
（Ｄ−２）表示装置の機能構成
図２６に、表示装置３０１を構成するデバイスの機能構成例を示す。なお、図２６は、図１８との対応部分に同一符号を付して表している。
【００９４】
この表示装置３０１は、タイミングコントローラ２１、部分領域設定用ユーザーインターフェース（ＵＩ）３１１、表示領域デコーダ３１３、部分領域設定部２７、画像データ選択部２９、黒データ供給部３１、ゲートスキャンドライバ３３、線順次ドライバ３５及び有機ＥＬディスプレイパネル３７で構成される。
【００９５】
すなわち、部分領域設定用ユーザーインターフェース（ＵＩ）３１１と表示領域デコーダ３１３以外は、形態例３と同じものを使用する。
この形態例の場合、部分領域設定用ユーザーインターフェース（ＵＩ）３１１は、押しボタン３０３、３０５、３０７、３０９とその操作量（例えば押し下げ回数、押し時間）を検出する内部機構とで構成される。
【００９６】
なお、押しボタン３０３及び３０５に対応する操作量の検出デバイスは、操作方向に開始位置パルス及び終端位置パルスの出力位相をシフトするパルス発生器で構成する。例えば移動方向が画面上方向の場合、開始位置パルス及び終端位置パルスは出力位相が進む方向にシフトされ、移動方向が画面下方向の場合、開始位置パルス及び終端位置パルスは出力位相が遅延する方向にシフトされる。
【００９７】
一方、押しボタン３０７及び３０９に対応する操作量の検出デバイスは、操作方向に開始位置パルス及び終端位置パルスの出力位相をシフトするパルス発生器で構成する。例えば移動方向が画面左方向の場合、開始位置パルス及び終端位置パルスは出力位相が進む方向にシフトされ、移動方向が画面右方向の場合、開始位置パルス及び終端位置パルスは出力位相が遅延する方向にシフトされる。
【００９８】
これらの４つの押しボタン３０３、３０５、３０７、３０９に対応する２つの開始位置パルスと２つの終端位置パルスの出力位相が、形態例３における操作子２０３、２０５、２０７、２０９の操作位置（ディジタル値）に対応する。
【００９９】
表示領域デコーダ３１３は、開始位置パルスと２つの終端位置パルスの出力位相を、表示パネル上の画素位置を表す情報に変換する処理を実行する。
図２７及び図２８に、表示領域デコーダ３１３が実行する変換処理の仕組みを示す。
【０１００】
図２７は、原画像領域１１の垂直方向における開始位置パルスと終端位置パルスの位相を表示パネルの画素位置に変換する場合に使用する仕組みを示す。垂直方向の画素位置を検出する場合、表示領域デコーダ３１３は、開始位置パルスや終端位置パルスの立ち下がりタイミングにおけるＨシンクカウンタのカウント値により原画像領域１１のエッジ位置を特定する。
【０１０１】
なお、Ｈシンクカウンタは、Ｖシンクに同期してＨシンクのカウントを開始するカウンタである。この例の場合、カウント値は、０〜１１の範囲で計数される。図２７の場合、原画像領域１１の開始位置に対応するカウント値は「３」、原画像領域１１の終端位置に対応するカウント値は「８」となる。
【０１０２】
図２８は、原画像領域１１の水平方向における開始位置パルスと終端位置パルスの位相を表示パネルの画素位置に変換する場合に使用する仕組みを示す。水平方向の画素位置を検出する場合、表示領域デコーダ３１３は、開始位置パルスや終端位置パルスの立ち下がりタイミングにおけるクロックカウンタのカウント値により原画像領域１１のエッジ位置を特定する。
【０１０３】
なお、クロックカウンタは、Ｈシンクに同期してドットクロックのカウントを開始するカウンタである。この例の場合、カウント値は、０〜１５の範囲で計数される。図２８の場合、原画像領域１１の開始位置に対応するカウント値は「４」、原画像領域１１の終端位置に対応するカウント値は「９」となる。このような手順により、原画像領域１１のエッジ位置を与える情報が、部分領域設定部２７に供給される。
【０１０４】
（Ｄ−３）押しボタンの操作による表示画面の変化
図２９〜図３１に、前述した表示技術を搭載する表示装置３０１の表示画面例を示す。
図２９は、垂直方向についてのみ情報表示部５の内側に原画像領域１１の開始位置と終端位置を設定する場合の表示画面例である。図では、操作対象とする押し下げボタンを着色して示す。この場合、情報表示部５の上側と下側に黒画面が現れ、原画像の中央付近だけが水平方向にフルサイズで表示される。
【０１０５】
図３０は、水平方向についてのみ情報表示部５の内側に原画像領域１１の開始位置と終端位置を設定する場合の表示画面例である。図では、操作対象とする押し下げボタンを着色して示す。この場合、情報表示部５の左側と右側に黒画面が現れ、原画像の中央付近だけが垂直方向にフルサイズで表示される。
【０１０６】
図３１は、水平方向と垂直方向のそれぞれについて情報表示部５の内側に原画像領域１１の開始位置と終端位置を設定する場合の表示画面例である。図では、操作対象とする押し下げボタンを着色して示す。この場合、情報表示部５の中央部分にだけ原画像が表示され、その周辺には黒画面が表示されることになる。
【０１０７】
以上説明したように、この形態例の場合にも、原画像がそのまま表示される領域は、原画像の表示内容とは無関係に（システム制御部は無関係に）ユーザーが操作する押しボタン３０３、３０５、３０７、３０９の操作だけに依存して決定される。
【０１０８】
すなわち、画面の表示中も、ユーザーが積極的又は主導的に判断した画面領域だけを表示し、その他の画面領域は黒画面表示に切り替えることができる。しかも、この形態例の場合には、原画像領域１１の位置及び大きさを自由に設定できるので、ユーザーの意図を画面構成により一層反映させることができる。
【０１０９】
勿論、有機ＥＬ素子は自発光素子であるので、黒画面領域に位置する有機ＥＬ素子には駆動電流を流さないようにでき、消費電力を大幅に低下させることができる。結果的に、表示装置１をバッテリー電源で駆動できる時間を長くできる。
【０１１０】
なお、この形態例の場合には、原画像領域１１の設定に使用する可動機構が押しボタンである場合について例示したが、双方向に回動操作できるダイヤルでも良い。また、エッジ位置を与えるパルスを規定の一方向にのみシフトする仕組みを採用しても良い。この場合は、シフト量がある一定量に達するとシフト量が０（ゼロ）にリセットされるものを用いれば良い。
【０１１１】
（Ｂ）他の形態例
（Ｂ−１）省電力化領域に出力して好適な他の画像データ例
前述した形態例では、いずれも消費電力の低減効果を最大化するため、ユーザーにより設定された原画像領域１１以外の領域に黒画像を出力する場合について説明した。すなわち、省電力化領域１３に位置する各画素に対応するＲ（赤）データ、Ｇ（緑）データ、Ｂ（青）データの階調値をいずれも０（ゼロ）に設定する場合について説明した。
【０１１２】
しかし、省電力効果は、必ずしも黒画面を出力しなくても実現することができる。すなわち、原画像をそのまま表示する場合に比して消費電力が小さい画像さえ表示することができれば、省電力効果を実現することができる。なお、省電力化が実現できれば、省電力化領域１３に出力する画像の生成方法は任意である。以下では、比較的簡単な処理でありながら、確実に消費電力が原画像よりも小さくなる処理手法について説明する。
【０１１３】
（ａ）処理例１
ここでは、原画像データの発光輝度値を一様に低下した画像データを生成し、生成された画像データを省電力化領域１３において原画像に替えて出力する手法について説明する。
【０１１４】
図３２に、この種の置換画像データ生成部を搭載する表示装置の機能構成例を示す。なお図３２は、形態例３で説明した表示装置２０１に同技術を適用する場合の機能構成例である。
【０１１５】
図３２に示す構成の表示装置は、タイミングコントローラ２１、部分領域設定用ユーザーインターフェース（ＵＩ）２１１、表示領域デコーダ２１３、部分領域設定部２７、画像データ選択部２９、輝度低下部４０１、ゲートスキャンドライバ３３、線順次ドライバ３５及び有機ＥＬディスプレイパネル３７で構成される。
【０１１６】
輝度低下部４０１は、タイミングコントローラ２１より原画像データを入力し、輝度値を一様に低下させた画像データを生成する処理デバイスである。
【０１１７】
この輝度低下部４０１には、ＲＧＢ形式の画像データを輝度データと色差データの形式に変換するデータ形式変換部と、輝度データ値を予め定めた一定の比率で低減する輝度データ変換部と、変換後の輝度データと色差データをＲＧＢ形式の画像データに変換するデータ形式変換部とで実現することができる。
【０１１８】
勿論、同機能に対応する入出力関係を記憶した変換テーブルを用いることもできる。
この形態例の場合、原画像領域１１以外の輝度が低下する。すなわち、ユーザーが指定した注目領域以外の画質を低下させることができる。
図３３に、輝度低下率の違いに応じた表示画面の例を示す。
【０１１９】
この処理例を採用する場合、輝度低下の割合に応じた省電力効果が期待できるのに加え、画質低下領域にある原画像の情報もある程度は確認できる画面を表示することができる。また、黒画面が出力される場合に比して、ユーザーが感じる違和感を低減することができる。
【０１２０】
（ｂ）処理例２
ここでは、原画像データを単色化した画像データを生成し、生成された画像データを省電力化領域１３において原画像に替えて出力する手法について説明する
。
【０１２１】
図３４に、この種の置換画像データ生成部を搭載する表示装置の機能構成例を示す。なお図３４は、処理例１の変形例である。
図３４に示す構成の表示装置は、タイミングコントローラ２１、部分領域設定用ユーザーインターフェース（ＵＩ）２１１、表示領域デコーダ２１３、部分領域設定部２７、画像データ選択部２９、減色化部５０１、ゲートスキャンドライバ３３、線順次ドライバ３５及び有機ＥＬディスプレイパネル３７で構成される。
【０１２２】
減色化部５０１は、タイミングコントローラ２１より原画像データを入力し、事前に定めた色成分の画像データだけを出力し、他の２つの色成分の画像データは黒データ（０データ）に置換する処理デバイスである。この変換処理により、発光する有機ＥＬ素子の数は確実に１／３となる。従って、発光輝度が低下するだけでなく、消費電力の低減効果が期待される。
【０１２３】
この処理例を採用する場合にも、省電力化領域１３に表示される画像の画質こそ低下するが、原画像の情報もある程度は確認できる画面を表示することができる。なお、ここでは一色分の画像データだけを残す場合について説明したが、２色分の画像データだけを残す（すなわち、１色分の画像データは除く）方法を適用しても良い。
【０１２４】
（ｃ）処理例３
ここでは、省電力化領域１３に対応する原画像データの平均ピクチャレベルよりも常に小さくなるように生成した置換画像データを、省電力化領域１３の原画像に替えて出力する手法について説明する。
【０１２５】
図３５に、この種の置換画像データ生成部を搭載する表示装置の機能構成例を示す。なお図３５も、形態例３で説明した表示装置２０１に同技術を適用する場合の機能構成例である。
【０１２６】
図３５に示す構成の表示装置は、タイミングコントローラ２１、部分領域設定用ユーザーインターフェース（ＵＩ）２１１、表示領域デコーダ２１３、部分領域設定部２７、画像データ選択部２９、ＡＰＬ算出部６０１、置換画像データ生成部６０３、ゲートスキャンドライバ３３、線順次ドライバ３５及び有機ＥＬディスプレイパネル３７で構成される。
【０１２７】
すなわち、この表示装置には、ＡＰＬ算出部６０１と置換画像データ生成部６０３の２つの処理デバイスを新たに搭載する。
ＡＰＬ算出部６０１は、設定された部分領域以外の領域に対応する原画像データの平均ピクチャレベルを算出する処理デバイスである。
【０１２８】
このＡＰＬ算出部６０１は、ＲＧＢ形式の画像データを輝度データと色差データのデータ形式に変換するデータ変換部と、省電力化領域１３に対応する輝度データの平均値を算出する演算部とで実現することができる。
【０１２９】
置換画像データ生成部６０３は、算出された平均ピクチャレベルよりも小さい平均ピクチャレベルを有する置換画像データを生成する処理デバイスである。
この置換画像データ生成部６０３は、算出されたピクチャレベルよりも小さいピクチャレベルに基づいて、ＲＧＢ形式の画像データを生成する処理回路により実現する。
【０１３０】
または、この置換画像データ生成部６０３は、算出された平均ピクチャレベル以下になるように、部分領域に対応する範囲の原画像データの一部を黒レベル画像に置換した画像を生成する処理回路により実現する。
【０１３１】
前述した例の場合、省電力化領域１３には、画面全体が一葉の輝度のグレー画像や原画像の一部を黒画面で置換した画質が表示される。また、その他の処理方法を用いて置換画像データを生成した場合には、原画像に対して画質が大きく劣化した画像が表示されることになる。いずれにしても、画面全体として省電力化の効果を実現できる。
【０１３２】
（Ｂ−２）バッテリー駆動機器
前述の形態例では、バッテリー駆動機器の一例として表示装置を例示して説明した。しかし、情報表示部のうち一部分にのみ原画像を表示し、その他の領域には省電力化画像を表示する機能は、各種のバッテリー駆動機器に搭載することができる。
【０１３３】
（ａ）放送波受信装置
図３６は、携帯型の放送波受信装置に適用する場合の機能構成例である。放送波受信装置７０１は、表示パネル７０３、バッテリー電源７０５、システム制御部７０７、操作部７０９、記憶媒体７１１及びチューナー７１３を主要な構成デバイスとする。
【０１３４】
なお、システム制御部７０７は、例えばマイクロプロセッサで構成される。システム制御部７０７は、システム全体の動作を制御する。操作部７０７は、機械式の操作子の他、グラフィックユーザーインターフェースも含む。
【０１３５】
記憶媒体７１１は、表示パネル７０３に表示する画像や映像に対応するデータの他、ファームウェアやアプリケーションプログラムの格納領域として用いられる。チューナー１０９は、到来する放送波の中からユーザーの選局した特定チャネルの放送波を選択的に受信する無線装置である。
この放送波受信装置の構成は、例えばテレビジョン番組受信機、ラジオ番組受信機に適用する場合に用いることができる。
【０１３６】
（ｂ）オーディオ装置
図３７は、再生機としてのオーディオ装置に適用する場合の機能構成例である。
再生機としてのオーディオ装置８０１は、表示パネル８０３、バッテリー電源８０５、システム制御部８０７、操作部８０９、記憶媒体８１１、オーディオ処理部８１３及びスピーカー８１５を主要な構成デバイスとする。
【０１３７】
この場合も、システム制御部８０７は、例えばマイクロプロセッサで構成される。システム制御部８０７は、システム全体の動作を制御する。操作部８０９は、機械式の操作子の他、グラフィックユーザーインターフェースも含む。
【０１３８】
記憶媒体８１１は、オーディオデータの他、ファームウェアやアプリケーションプログラムの格納領域である。オーディオ処理部８１３は、オーディオデータを信号処理する処理デバイスである。圧縮符号化されたオーディオデータの解凍処理も実行される。スピーカー８１５は、再生された音を出力するデバイスである。
【０１３９】
なお、オーディオ装置８０１を記録機として用いる場合、スピーカー８１５に替えてマイクロフォンを接続する。この場合、オーディオ処理部８１３は、オーディオデータを圧縮符号化する機能を実現する。
【０１４０】
（ｃ）通信装置
図３８は、携帯型の通信装置に適用する場合の機能構成例である。通信装置９０１は、表示パネル９０３、バッテリー電源９０５、システム制御部９０７、操作部９０９、記憶媒体９１１及び無線通信部９１３を主要な構成デバイスとする。
【０１４１】
なお、システム制御部９０７は、例えばマイクロプロセッサで構成される。システム制御部９０７は、システム全体の動作を制御する。操作部９０９は、機械式の操作子の他、グラフィックユーザーインターフェースも含む。
【０１４２】
記憶媒体９１１は、表示パネル９０３に表示する画像や映像に対応するデータファイルの他、ファームウェアやアプリケーションプログラムの格納領域として用いられる。無線通信部９１３は、他機との間でデータを送受信する無線装置である。
この通信装置の構成は、例えば携帯電話機に適用する場合に用いることができる。
【０１４３】
（ｄ）撮像装置
図３９は、携帯型の撮像装置に適用する場合の機能構成例である。撮像装置１００１は、表示パネル１００３、バッテリー電源１００５、システム制御部１００７、操作部１００９、記憶媒体１０１１及び撮像部１０１３を主要な構成デバイスとする。
【０１４４】
なお、システム制御部１００７は、例えばマイクロプロセッサで構成される。システム制御部１００７は、システム全体の動作を制御する。操作部１００９は、機械式の操作子の他、グラフィックユーザーインターフェースも含む。
【０１４５】
記憶媒体１０１１は、表示パネル１００３に表示する画像や映像に対応するデータファイルの他、ファームウェアやアプリケーションプログラムの格納領域として用いられる。撮像部１０１３は、例えばＣＭＯＳセンサーとその出力信号を処理する信号処理部で構成する。
この撮像装置の構成は、例えばデジタルカメラ、ビデオカメラ等に適用する場合に用いることができる。
【０１４６】
（ｅ）情報処理装置
図４０は、携帯型の情報処理装置に適用する場合の機能構成例である。情報処理装置１１０１は、表示パネル１１０３、バッテリー電源１１０５、システム制御部１１０７、操作部１１０９及び記憶媒体１１１１を主要な構成デバイスとする。
【０１４７】
なお、システム制御部１１０７は、例えばマイクロプロセッサで構成される。システム制御部１１０７は、システム全体の動作を制御する。操作部１１０９は、機械式の操作子の他、グラフィックユーザーインターフェースも含む。
【０１４８】
記憶媒体１１１１は、表示パネル１１０３に表示する画像や映像に対応するデータファイルの他、ファームウェアやアプリケーションプログラムの格納領域として用いられる。
この情報処理装置の構成は、例えばゲーム機、電子ブック、電子辞書、コンピュータ等に適用する場合に用いることができる。
【０１４９】
（Ｂ−３）自発光素子
前述の形態例の場合、情報表示部５を構成する自発光素子が有機ＥＬ素子であるものとして説明した。
しかし、電流駆動方式の自発光素子であれば、例えば無機ＥＬ素子、ＦＥＤ素子、ＰＤＰ素子その他にも適用できる。
【０１５０】
（Ｂ−４）その他
前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【０１５１】
【図１】表示装置の外観構成例を示す図である。
【図２】蓋の開閉操作により設定される部分領域例を示す図である。
【図３】表示装置を構成するデバイスの機能構成例を説明する図である。
【図４】部分領域設定用ユーザーインターフェースの構成例を示す図である。
【図５】判定条件を設定イメージを示す図である。
【図６】画像データ選択部の内部構成例を示す図である。
【図７】表示画面例を示す図である。
【図８】表示装置の他の外観構成例を示す図である。
【図９】可視光センサーの配置位置と情報表示部の位置関係を示す図である。
【図１０】表示装置を構成するデバイスの機能構成例を示す図である。
【図１１】蓋の操作に連動した表示画面例を示す図である。
【図１２】蓋の操作に連動した表示画面例を示す図である。
【図１３】蓋の操作に連動した表示画面例を示す図である。。
【図１４】蓋の操作に連動した表示画面例を示す図である。
【図１５】蓋の操作に連動した表示画面例を示す図である。
【図１６】表示装置の他の外観構成例を示す図である。
【図１７】操作子の可動操作による原画像領域と省電力化領域の設定例を示す図である。
【図１８】表示装置を構成するデバイスの機能構成例を示す図である。
【図１９】部分領域設定用ユーザーインターフェースの構成例を示す図である。
【図２０】部分領域設定用ユーザーインターフェースの構成例を示す図である。
【図２１】判定条件を設定イメージを示す図である。
【図２２】操作子の操作に連動した表示画面例を示す図である。
【図２３】操作子の操作に連動した表示画面例を示す図である。
【図２４】操作子の操作に連動した表示画面例を示す図である。
【図２５】表示装置の他の外観構成例を示す図である。
【図２６】表示装置を構成するデバイスの機能構成例を示す図である。
【図２７】表示領域デコーダが実行する変換処理の仕組みを示す図である。
【図２８】表示領域デコーダが実行する変換処理の仕組みを示す図である。
【図２９】押しボタンの操作に連動した表示画面例を示す図である。
【図３０】押しボタンの操作に連動した表示画面例を示す図である。
【図３１】押しボタンの操作に連動した表示画面例を示す図である。
【図３２】表示装置を構成するデバイスの他の機能構成例を示す図である。
【図３３】輝度低下率に応じた表示画面例を示す図である。
【図３４】表示装置を構成するデバイスの他の機能構成例を示す図である。
【図３５】表示装置を構成するデバイスの他の機能構成例を示す図である。
【図３６】バッテリー駆動機器の機能構成例を示す図である。
【図３７】バッテリー駆動機器の機能構成例を示す図である。
【図３８】バッテリー駆動機器の機能構成例を示す図である。
【図３９】バッテリー駆動機器の機能構成例を示す図である。
【図４０】バッテリー駆動機器の機能構成例を示す図である。
【符号の説明】
【０１５２】
５        情報表示部
７        蓋（可動機構）
１１      原画像領域
１３      省電力化領域
２７      部分領域設定部
１０１    可視光センサ
２０３、２０５、２０７、２０９    操作子
３０３、３０５、３０７、３０９    押しボタン
【図１】
2007333996.tif 000003
【図２】
2007333996.tif 000004
【図３】
2007333996.tif 000005
【図４】
2007333996.tif 000006
【図５】
2007333996.tif 000007
【図６】
2007333996.tif 000008
【図７】
2007333996.tif 000009
【図８】
2007333996.tif 000010
【図９】
2007333996.tif 000011
【図１０】
2007333996.tif 000012
【図１１】
2007333996.tif 000013
【図１２】
2007333996.tif 000014
【図１３】
2007333996.tif 000015
【図１４】
2007333996.tif 000016
【図１５】
2007333996.tif 000017
【図１６】
2007333996.tif 000018
【図１７】
2007333996.tif 000019
【図１８】
2007333996.tif 000020
【図１９】
2007333996.tif 000021
【図２０】
2007333996.tif 000022
【図２１】
2007333996.tif 000023
【図２２】
2007333996.tif 000024
【図２３】
2007333996.tif 000025
【図２４】
2007333996.tif 000026
【図２５】
2007333996.tif 000027
【図２６】
2007333996.tif 000028
【図２７】
2007333996.tif 000029
【図２８】
2007333996.tif 000030
【図２９】
2007333996.tif 000031
【図３０】
2007333996.tif 000032
【図３１】
2007333996.tif 000033
【図３２】
2007333996.tif 000034
【図３３】
2007333996.tif 000035
【図３４】
2007333996.tif 000036
【図３５】
2007333996.tif 000037
【図３６】
2007333996.tif 000038
【図３７】
2007333996.tif 000039
【図３８】
2007333996.tif 000040
【図３９】
2007333996.tif 000041
【図４０】
2007333996.tif 000042